(57)【特許請求の範囲】
【請求項１】
ノズルアーム（８）をその一端を回動基部（８Ａ）として水容器部（１）に回動自在に設けると共に、ノズルアームを回動基部に対して傾斜して設けたことを特徴とするじょうろ。
【発明の詳細な説明】
【０００１】
【発明の属する技術分野】
この発明は植物に水を注ぎかけるためのじょうろに関し、より詳細には収納効率を高めたじょうろに関する。
【０００２】
【従来の技術】
植物に水を注ぎかけるためのじょうろとして、水を収容する水容器の胴部分より水の注ぎ口となるノズルのノズルアームを突設したじょうろが公知である。
そして、この場合、使用時の使い勝手を考慮し、ノズルアームは水容器の胴部分より斜め上方に突設されていた。
【０００３】
【発明が解決しようとする課題】
しかしながら、上記従来技術のじょうろにおいては、ノズルアームが水容器の胴部分より斜め上方に突設されていることより、全長が非常に長くなり、不使用時の収納や、流通過程における保管、陳列に際してスペースを要するという問題があった。
【０００４】
この発明は上記の如き問題点に鑑みて、収納効率を高めたじょうろを提供することを目的として創作されたものであり、ノズルアームをその一端を回動基部として水容器部に回動自在に設けると共に、ノズルアームを回動基部に対して傾斜して設けたことを特徴とする。
【０００５】
【発明の実施の形態】
以下、この発明の具体的実施例を添付図面に基づいて説明する。
図１はこの発明のじょうろを示す図であり、図中符号１はその水容器部を指す。
この水容器部１はここでは合成樹脂により構成されるものであり、水は上部の開口３より水容器部の中空部２内に注ぎ入れられる。
この水容器部１の胴部には、上面を水平又は緩い傾斜（この実施例においては緩い傾斜）として前方に張り出したデッキ部１Ａが設けられ、このデッキ部１Ａの上面には水容器部の中空部２内に連通する円筒状の開口７が設けられ、この開口には下記するノズルアームが回動自在に設けられる。
【０００６】
図中符号８は上記ノズルアームを指すものであり、合成樹脂により構成されるこのノズルアーム８は一端を回動基部８Ａとし、この回動基部８Ａが上記の水容器部のデッキ部１Ａの開口７に回動自在に設けられる（図２参照）。
図５及び図６はこの回動構造の一例を示す図である。
ここでは、開口７に挿通されるべき回動基部８Ａは上方にフランジ９を有すると共に、下方に抜け止めリング１１が係止され、このフランジ９と抜け止めリング１１によってデッキ部１Ａの開口７の上下を挟持することにより、回動基部８Ａはデッキ部１Ａに回動自在に固定されることとなる。
尚、この場合、抜け止めリング１１はその内周部分１２が、回動基部８Ａの下端周側に設けた環状の係止溝１０に落ち込むことにより、回動基部８Ａに係止される。
又、図中符号１３は回動基部８Ａと開口７の回動接触部分の水密を保つためのＯリングであり、このＯリング１３は回動基部８Ａの周側に巻装される。
【０００７】
一方、ノズルアーム８は上記の回動基部８Ａに対して傾斜して設けられるものであり、これによりこの発明の所期の目的が達成される。
即ち、ノズルアーム８は回動基部８Ａに対して傾斜して設けられ、この回動基部８Ａは上面を水平又は緩い傾斜とした水容器部のデッキ部１Ａに対して回動する結果、回動により水容器部１に対して先端が円状の軌跡をもって移動することなる。
よって、ノズルアーム８の先端が水容器部１より一番離れた状態（図１の状態）をもって使用に供し、先端が水容器部１に一番近づいた状態（図２の状態）をもって収納に供すれば、使用時にはノズルアーム８が水容器部の前方の斜め上方に突出して使い勝手の良い状態が保たれ、収納時にはノズルアーム８が水容器部に近づいて全体がコンパクトに保たれる作用を生じる。
この場合、特に実施例のように水容器部のデッキ部１Ａの上面を前方に向かった緩い傾斜とし、この傾斜角度とノズルアーム８の回動基部８Ａに対する傾斜角度の和が１８０度になるように設定すればノズルアーム８の先端が水容器部１に一番近づいた状態ではノズルアーム８は丁度直立する形になり（図２の状態）、高い収納効率が実現される。
【０００８】
ところで、この実施例ではじょうろを多目的に使用するための工夫がなされている。
即ち、ノズルアーム８はその先端のノズル部分を分割して構成し、異種のノズルを差し替え自在としている。
図１乃至３は差し替えられるべきノズルのうちのシャワー型のノズル２０が装着された状態を示すものであり、このノズル２０は合成樹脂により構成されるものであり、後端をノズルアーム８の先端に挿入することにより装着される。
【０００９】
図７はこのノズル２０の詳細を示す図である。
従来技術においては水が注ぎ出されるノズルヘッドを構成する多数の細孔を有する部分（「蓮の実部分」と通称されており、本願明細書ではこの用語に従う）は金属板により構成され、これがノズル先端の碗状の部材に被蓋されていた。
しかしながら、この場合、多数の細孔は金属板に打ち抜きにより穿設される結果、打ち抜いた部分が捲れて、この部分に水中の夾雑物が引っ掛かりやすく目詰まりしやすく、これを防止するためにノズルの水通路中にメッシュ等のフイルターが必要となる不便さがあった。
【００１０】
この実施例では多数の細孔２５を有するこの蓮の実部分２３を軟質の合成樹脂により構成し、これをノズル２０先端の碗状の部材２１に被蓋する構造としているのものであり、この場合多数の細孔２５は成型により得られるので上記の金属板のように捲れ部分が生ぜず、従って目詰まりの心配がなくフイルターが不要となる効果が得られる。
尚、この場合、蓮の実部分２３はその下面に設けた環状の係止溝２４をノズル２０先端の碗状の部材２１の上面の環状の係止突起２２に係止することにより被蓋固定される。
【００１１】
次に、図４は差し替えられるべきノズルのうちの水差し型のノズル３０が装着された状態を示すものである。
このノズル３０は合成樹脂により構成されるものであり、後端３２をノズルアーム８の先端に挿入することにより装着される。
このノズル３０はノズルヘッドが単孔３１で構成されるものであり、例えば植物の根元部分に水を指す等の用途に使用される。
【００１２】
そして、この実施例ではこのノズル３０は、不使用時には水容器部１に収容可能な構成としている。
即ち、ここでは水容器部１の持ち手を、上方部分の持ち手４と後方部分の持ち手５の２種設け、後方部分の持ち手５は後方を開放した溝状に構成すると共に（図８参照）、この溝５Ａの形状を水差し型のノズル３０の外形に沿った形とすることにより、ノズル３０を溝５Ａに収容可能としている。
この場合、溝５Ａに収容したノズル３０を固定するために、持ち手５の下方にして溝５Ａ内には係止リング６が設けられ、収容したノズル３０はその後端部３２がこの係止リングに挿入されることにより固定されることとなる。
【００１３】
【発明の効果】
以上の構成よりなるこの発明によれば、ノズルアームを回動することにより、使用時と収納時でじょうろの全長を可変することが可能となるので、使い勝手を損なわず、且つ収納効率を高めたじょうろが実現できる効果を奏する。
よって、製造・販売者においては保管、陳列スペースが少なくて済み流通コストが軽減されるじょうろが実現され、使用者においては収納スペースが少なくて済む邪魔にならないじょうろが実現されることとなる。
【図面の簡単な説明】
【図１】この発明のじょうろの使用時の状態を示す一部切り欠き側面図。
【図２】同上、収納時の状態を示す一部切り欠き側面図。
【図３】同上、使用時の状態を示す斜視図。
【図４】同上、ノズルを差し替えた状態を示す斜視図。
【図５】同上、ノズルアームの回動基部の分解斜視図。
【図６】同上、ノズルアームの回動基部付近の断面図。
【図７】同上、蓮の実部分の分解斜視図。
【図８】同上、後方部分の持ち手付近の斜視図。
【符号の説明】
１      水容器部
８      ノズルアーム
８Ａ    （ノズルアーム）の回動基部
【図１】
0003693271.tif 000002
【図２】
0003693271.tif 000003
【図３】
0003693271.tif 000004
【図４】
0003693271.tif 000005
【図５】
0003693271.tif 000006
【図６】
0003693271.tif 000007
【図７】
0003693271.tif 000008
【図８】
0003693271.tif 000009